(57)【要約】  本発明は、中継キャビティ（１０）、供給システム及び調理器具を提供する。材料投入口（１１）と排出口（１２）と流体進入口（１３）とが設けられた中継キャビティ（１０）は、内チャンバを有し、内チャンバが材料投入口（１１）、排出口（１２）及び流体進入口（１３）に連通され、流体進入口（１３）が中継キャビティの底壁又は側壁における中継キャビティの底壁に相対的に隣接する箇所に位置される。本発明に係る中継キャビティにおいて、気体は大体中継キャビティの底部から中継キャビティに進入でき、これにより風力による材料の持ち上げ及び分散に寄与し、材料の中継キャビティにおける堆積による材料に対する駆動困難及び材料の排出困難などの問題を解消し、中継キャビティ内に材料が残らずに完全に排出されることが確保され、製品の安全衛生性を向上させる。
2019535361.tif 000002
【特許請求の範囲】
【請求項１】
内チャンバを有し、
材料が流入する材料投入口と、材料が流出する排出口と、媒体流体が進入する流体進入口とが設けられ、
前記内チャンバが、前記材料投入口、前記排出口及び前記流体進入口に連通され、
前記流体進入口が、底壁に設置される、又は側壁における前記底壁に相対的に隣接する箇所に設置されることを特徴とする中継キャビティ。
【請求項２】
前記流体進入口の前記中継キャビティにおける交差線と前記中継キャビティの底壁との間の最小間隔Ｔは、Ｔ≦１０ｍｍを満たすことを特徴とする請求項１に記載の中継キャビティ。
【請求項３】
前記流体進入口の軸線と前記中継キャビティの底壁とのなす夾角は、前記流体進入口から進入した媒体流体が前記中継キャビティの底壁から入射し、又は前記中継キャビティの底壁に入射し且つ前記中継キャビティの底壁に反射されるように、０°〜９０°であることを特徴とする請求項１又は２に記載の中継キャビティ。
【請求項４】
前記流体進入口が前記排出口に対向して設けられ、
前記材料投入口の軸線が前記流体進入口と前記排出口との間の領域を通過することを特徴とする請求項１又は２に記載の中継キャビティ。
【請求項５】
前記材料投入口が前記中継キャビティの中心に向き、前記流体進入口が前記中継キャビティの一端に位置され、前記排出口が前記中継キャビティにおける前記流体進入口に対向する他端に位置されることを特徴とする請求項４に記載の中継キャビティ。
【請求項６】
前記流体進入口の向きは、前記流体進入口から進入した媒体流体が前記中継キャビティの壁面に沿って前記中継キャビティの中心周りに流れるように、前記中継キャビティの中心からずれ、
前記材料投入口は、媒体流体が流れた前記中継キャビティの壁面に位置されることを特徴とする請求項１又は２に記載の中継キャビティ。
【請求項７】
前記材料投入口の前記中継キャビティにおける交差線の最低点と、前記流体進入口の前記中継キャビティにおける交差線との間の最小水平間隔Ｂは、Ｂ≦１０ｍｍを満たすことを特徴とする請求項１又は２に記載の中継キャビティ。
【請求項８】
前記排出口が前記中継キャビティの底壁と前記中継キャビティの側壁との接続箇所に位置され、且つ前記排出口の最低点の高さが前記中継キャビティの底壁の内面の高さより高くなく、又は、前記排出口が前記中継キャビティの底壁に位置され、又は、前記排出口が前記中継キャビティの側壁における前記中継キャビティの底壁に相対的に隣接する箇所に位置されることを特徴とする請求項１又は２に記載の中継キャビティ。
【請求項９】
前記中継キャビティは三方管状を有し、又は、
前記中継キャビティの頂壁は上に向かって突出する円弧状を有し、前記中継キャビティの側壁は円弧状を有するとともに前記中継キャビティの頂壁と前記中継キャビティの底壁との間に過渡的に接続されることを特徴とする請求項１又は２に記載の中継キャビティ。
【請求項１０】
前記材料投入口が、前記中継キャビティの側壁又は前記中継キャビティの頂壁に位置されることを特徴とする請求項１又は２に記載の中継キャビティ。
【請求項１１】
請求項１〜１０のいずれか一項に記載の中継キャビティと、
前記中継キャビティの流体進入口に連結され、媒体流体を前記中継キャビティ内に進入させるように駆動する動力装置とを含むことを特徴とする供給システム。
【請求項１２】
前記中継キャビティの材料投入口に連結され材料を貯蔵する貯蔵装置をさらに含み、前記貯蔵装置内に貯蔵される材料が前記中継キャビティに供給されることを特徴とする請求項１１に記載の供給システム。
【請求項１３】
前記材料投入口と前記貯蔵装置との間のオン・オフを制御する供給弁をさらに含み、前記中継キャビティの前記材料投入口が前記供給弁を介して前記貯蔵装置に連結されることを特徴とする請求項１２に記載の供給システム。
【請求項１４】
前記動力装置は送風装置であり、前記中継キャビティ内に送風することを特徴とする請求項１１〜１３のいずれか一項に記載の供給システム。
【請求項１５】
前記送風装置はブロア又はガスポンプであることを特徴とする請求項１４に記載の供給システム。
【請求項１６】
給気管をさらに含み、前記送風装置が前記給気管を介して前記流体進入口に連結されることを特徴とする請求項１４に記載の供給システム。
【請求項１７】
前記給気管の管径は、前記給気管の一端から前記給気管の他端に向かって均一であり、又は前記給気管の両端の管径はその中央部の管径より大きいことを特徴とする請求項１６に記載の供給システム。
【請求項１８】
一端が前記中継キャビティの排出口に連結され、他端が調理器具の調理容器に連通される材料供給管をさらに含むことを特徴とする請求項１１〜１３のいずれか一項に記載の供給システム。
【請求項１９】
調理容器を含む調理器本体と、
請求項１１〜１８のいずれか一項に記載の供給システムとを含み、
前記供給システムの中継キャビティの排出口が前記調理容器に連通されることを特徴とする調理器具。
【請求項２０】
前記供給システムの貯蔵装置の高さは前記調理容器の高さより低い或いは高い、及び／又は、前記供給システムの貯蔵装置は前記調理容器の上方或いは下方に位置されることを特徴とする請求項１９に記載の調理器具。
【請求項２１】
前記調理器具は炊飯器、電気圧力鍋、電気煮込み鍋、電気スチームクッカー又は豆乳機であることを特徴とする請求項１９に記載の調理器具。
【発明の詳細な説明】
【技術分野】
【０００１】
本願は、２０１６年１０月２０日に中国特許庁に出願された、出願番号が２０１６２１１４４２８０.４であり、発明の名称が「中継キャビティ、供給システム及び調理器具」である中国実用新案出願と、２０１６年１０月２０日に中国特許庁に出願された、出願番号が２０１６１０９１５３５９.０であり、発明の名称が「材料運送装置、台所貯蔵器具及び調理器具」である中国特許出願とに基づき優先権を主張し、その内容の全てを援用することにより本願に取り入れる。
【０００２】
本発明は台所用品分野に関し、具体的には、中継キャビティ、供給システム及び調理器具に関する。
【背景技術】
【０００３】
従来の調理器具、例えば自動炊飯器では、米を例えば米びつ、洗米器、炊飯器本体などの部材間に流動させ、製品の自動的な米投入、洗米及び米取り出しの動作を実現する必要がある。これに対して、従来の多くの炊飯器において、気体又は水などの媒体が米と合流して流体により米を転送する中継構造が設けられている。しかし、中継構造では、一般的に流通口の数が多く、構造が複雑であり、設計が不適切である場合、材料の詰まり、滞留により不完全排出となる問題があり、また材料の長期滞留は、材料のカビ発生、変質の原因にもなり、製品に安全衛生のリスクが存在するようになる。
【発明の概要】
【発明が解決しようとする課題】
【０００４】
少なくとも上述した技術的課題の一つを解決するために、本発明の一つの目的は、中継キャビティを提供する。
【０００５】
本発明のもう一つの目的は、上記の中継キャビティを備える供給システムを提供する。
【０００６】
本発明のもう一つの目的は、上記の供給システムを備える調理器具を提供する。
【課題を解決するための手段】
【０００７】
上記の目的を達成するために、本発明の第１態様の実施例は、内チャンバを有し、材料が流入する材料投入口と、材料が流出する排出口と、媒体流体が進入する流体進入口とが設けられ、前記内チャンバが前記材料投入口、前記排出口及び前記流体進入口に連通され、前記流体進入口が底壁に設置される、又は側壁における前記底壁に相対的に隣接する箇所に設置される中継キャビティを提供する。
【０００８】
媒体流体は水でも気体でも構わないが、水の場合は、材料の壁付着の問題が発生しやすく、駆動力の損失が気体より大きいということを考慮すると、当該態様では気体を媒体流体として材料を駆動することが好ましい。これに鑑みて、以下では、主に気体を媒体流体として当該態様を説明する。
【０００９】
本発明に係る中継キャビティにおいて、流体進入口が中継キャビティの底壁又は中継キャビティの側壁における中継キャビティの底壁に相対的に隣接する箇所に位置され、気体は大体中継キャビティの底部から中継キャビティに進入でき、これにより風力による材料の持ち上げ・分散に寄与し、材料の中継キャビティにおける堆積による材料に対する駆動困難及び材料の排出困難などの問題を解消し、中継キャビティ内に材料が残らずに完全に排出されることが確保され、製品の安全衛生性を向上させる。
【００１０】
また、本発明に係る上述した実施例における中継キャビティは、以下のような付加的な技術的特徴を有する。
【００１１】
上記の技術的手段において、前記流体進入口の前記中継キャビティにおける交差線と前記中継キャビティの底壁との間の最小間隔Ｔは、Ｔ≦１０ｍｍを満たす。
【００１２】
当該技術的手段において、流体進入口の中継キャビティにおける交差線と中継キャビティの底壁との間の最小間隔Ｔが１０ｍｍ以下であり、設計上で許可される場合、流体進入口の中継キャビティにおける交差線と中継キャビティの底壁との間の最小間隔Ｔをできるだけ小さく設計すべきであり、これにより、風力による材料の持ち上げ・分散に寄与し、材料の中継キャビティにおける堆積による材料に対する駆動困難及び材料の排出困難などの問題を解消し、中継キャビティ内の材料が残らずに完全に排出されることが確保される。
【００１３】
上記何れか一つの技術的手段において、前記流体進入口が前記中継キャビティの側壁における前記中継キャビティの底壁に相対的に隣接する箇所に位置される場合、前記流体進入口の前記中継キャビティ内面における交差線と前記中継キャビティの底壁との間の最小距離は０ｍｍ〜５ｍｍであることが好ましい。
【００１４】
当該技術的手段において、流体進入口が中継キャビティの側壁における中継キャビティの底壁に相対的に隣接する箇所に位置され、且つ流体進入口の中継キャビティにおける交差線と中継キャビティの底壁との間の最小距離が０ｍｍ〜５ｍｍであるように構成され、且つ設計上で許可される場合、流体進入口の中継キャビティにおける交差線と中継キャビティの底壁との間の最小距離をできるだけ小さく設計すべきであり、これにより、風力による材料の持ち上げ・分散に寄与し、材料の中継キャビティにおける堆積による材料の排出困難の問題を解消し、中継キャビティ内の材料が残らずに完全に排出されることが確保される。
【００１５】
上記何れか一つの技術的手段において、好ましくは、前記流体進入口の軸線と前記中継キャビティの底壁とのなす夾角は、前記流体進入口から進入した媒体流体が前記中継キャビティの底壁から入射し、又は前記中継キャビティの底壁に入射し且つ前記中継キャビティの底壁に反射されるように、０°〜９０°である。
【００１６】
当該技術的手段において、流体進入口の軸線と中継キャビティの底壁とのなす角度は０°〜９０°に設定され、具体的には、流体進入口が中継キャビティの底壁に設けられることができ、流体進入口の軸線と中継キャビティの底壁とのなす角度が０°〜９０°であり、排出口が気流の下流側に位置される。流体進入口の軸線と中継キャビティの底壁とのなす角度が０°より大きいことが好ましく、より好ましくは、流体進入口の軸線と中継キャビティの底壁とのなす角度が２０°〜７０°であり、さらにより好ましくは、流体進入口の軸線と中継キャビティの底壁とのなす角度が３０°〜６０°である。これにより、流体進入口に沿って進入した気流は中継キャビティの底壁から入射することで、風力による材料の持ち上げ及び更なる分散に寄与し、材料の集中的な堆積による風力の駆動損失の増大及び材料に対する駆動困難による材料の排出不完全の問題を解消できる。また、流体進入口が中継キャビティの側壁における中継キャビティの底壁に相対的に隣接する箇所に位置されることができ、流体進入口の軸線と中継キャビティの底壁とのなす角度が０°〜９０°であり、排出口が気流の出射側に位置されることで、流体進入口に沿って進入した気流が中継キャビティの底壁に入射し且つ中継キャビティの底壁に反射されることができ、これにより、風力による材料の持ち上げ及び更なる分散に寄与し、材料の集中的な堆積による風力の駆動損失の増大及び材料に対する駆動困難による材料の排出不完全の問題が解消できる。
【００１７】
上記何れか一つの技術的手段において、好ましくは、前記流体進入口が前記排出口に対向して設けられ、前記材料投入口の軸線が前記流体進入口と前記排出口との間の領域を通過する。
【００１８】
流体進入口と排出口が対向して設けられ、排出口が気流の風向きの下流に直接位置され、材料投入口の軸線が流体進入口と排出口との間の領域を通過するように構成される。これにより、材料投入口から進入した材料が流体進入口と排出口との間の領域内に直接落下して堆積することができ、これにより、流体進入口から進入した気流が追い風方向に沿って材料を排出口から排出するように直接駆動でき、材料残留の問題を解消し、製品の運送効率を効果的に向上させ、且つ気流の中継キャビティ内における運動エネルギーの損失を低減させ、製品のエネルギー効率が効果的に確保される。
【００１９】
上記の技術的手段において、好ましくは、前記材料投入口が前記中継キャビティの中心に向き、前記流体進入口が前記中継キャビティの一端に位置され、前記排出口が前記中継キャビティにおける前記流体進入口に対向する他端に位置される。
【００２０】
当該技術的手段において、材料投入口が中継キャビティの中心に向き、流体進入口が中継キャビティの一端に位置され、排出口が中継キャビティにおける流体進入口に対向する他端に位置されるように構成され、材料投入口の軸線が流体進入口と排出口との間の領域を通過する場合、流体進入口を大体中継キャビティの中心位置に向かって配置されることができ、これにより、流体進入口に沿って進入した気流は殆ど中継キャビティの中心を通過する直線に沿って中継キャビティの中心位置における材料を排出口に移動するように直接駆動することができ、少量の気流が両側から均等に分流し、中継キャビティの中心の周囲における材料を除去し、材料残留の問題を解消する。
【００２１】
上記何れか一つの技術的手段において、好ましくは、前記流体進入口の向きは、前記流体進入口から進入した媒体流体が前記中継キャビティの壁面に沿って前記中継キャビティの中心周りに流れるように、前記中継キャビティの中心からずれ、前記材料投入口は、媒体流体が流れた前記中継キャビティの壁面に位置される。
【００２２】
当該技術的手段において、流体進入口の向きが中継キャビティの中心からずれるように構成されることにより、流体進入口に沿って中継キャビティに進入した気流が接線速度を有し、気流が中継キャビティの壁面に沿って中継キャビティの中心周りに流れる。また、材料投入口が気流の流れる中継キャビティの壁面（例えば気流の流れる中継キャビティの側壁）に位置されることで、材料投入口に沿って進入した材料が中継キャビティ内における気流の流れの軌跡に直接落下し、気流による材料排出への駆動に寄与し、材料残留の問題を解消する。
【００２３】
上記何れか一つの技術的手段において、好ましくは、前記材料投入口の前記中継キャビティにおける交差線の最低点と、前記流体進入口の前記中継キャビティにおける交差線との間の最小水平間隔Ｂは、Ｂ≦１０ｍｍを満たす。
【００２４】
当該技術的手段において、材料投入口の中継キャビティにおける交差線の最低点と、流体進入口の中継キャビティにおける交差線との間の最小水平間隔Ｂを１０ｍｍ以下に設定することで、流体進入口が材料の投入位置から離れすぎる問題を解消し、流体進入口に沿って進入した集中的な気流が気流の流れの軌跡における材料を集中的に駆動することができ、材料残留の問題を解消する。
【００２５】
上記何れか一つの技術的手段において、好ましくは、前記排出口が前記中継キャビティの底壁と前記中継キャビティの側壁との接続箇所に位置され、且つ前記排出口の最低点の高さが前記中継キャビティの底壁の内面の高さより高くなく、又は、前記排出口が前記中継キャビティの底壁に位置される。
【００２６】
当該技術的手段において、排出口の最低点の高さが中継キャビティの底壁の内面の高さより高くないように構成され、風力が押圧方式で材料を排出口から完全に排出させることができ、排出口の位置が高すぎて風力が材料を持ち上げにくいことによる材料残留の問題を解消する。
【００２７】
当該技術的手段において、排出口が中継キャビティの底壁に位置され、又は排出口が中継キャビティの側壁における中継キャビティの底壁に相対的に隣接する箇所に位置されることにより、風力が押圧方式で材料を材料排出口から完全に排出させることができ、排出口の位置が高すぎて風力が材料を持ち上げにくいことによる材料残留の問題を解消する。
【００２８】
上記何れか一つの技術的手段において、好ましくは、前記中継キャビティは三方管状を有し、中継キャビティを三方管状の形状とすることで、構造が簡単で、容易に加工製造でき、製品のコストを相対的に低減できる。又は、前記中継キャビティの頂壁は上に向かって突出する円弧状を有し、前記中継キャビティの側壁は円弧状を有するとともに前記中継キャビティの頂壁と前記中継キャビティの底壁との間に過渡接続されることで、中継キャビティ内のコーナー構造の数を減少し、材料がコーナー構造に滞留して排出されにくい問題を解消し、製品における安全衛生リスクの存在を防止する。または、前記中継キャビティはキャビティの底壁とキャビティの頂壁とを含み、前記キャビティの頂壁は中央部が上向きに突起する弧形状を成し且つ前記キャビティの頂壁のエッジが前記キャビティの底壁のエッジに連結される。
【００２９】
上記何れか一つの技術的手段において、好ましくは、前記材料投入口が前記中継キャビティの側壁又は前記中継キャビティの頂壁に位置される。
【００３０】
本発明の第２態様の実施例に係る供給システムは、上記何れか一つの技術的手段に記載の中継キャビティと、前記中継キャビティの流体進入口に連結され、媒体流体を前記中継キャビティ内に進入させるように駆動する動力装置とを含む。
【００３１】
本発明に係る供給システムでは、上記何れか一つの技術的手段に記載の中継キャビティが設けられるので、上述した有益な効果のすべてを備え、ここで説明を省略する。
【００３２】
上記の技術的手段において、前記供給システムは、前記中継キャビティの材料投入口に連結され材料を貯蔵する貯蔵装置をさらに含み、前記貯蔵装置内に貯蔵される材料が前記中継キャビティに供給される。
【００３３】
当該技術的手段において、貯蔵装置に材料を予め貯蔵しておくことで、材料投入を必要とする時に、貯蔵装置が自動的に中継キャビティ内に供給でき、ユーザが材料投入する度に、手動で材料を補充する必要がなく、製品の使用便利性を向上させる。
【００３４】
上記の技術的手段において、前記供給システムは、前記材料投入口と前記貯蔵装置との間のオン・オフを制御する供給弁をさらに含み、前記中継キャビティの前記材料投入口が前記供給弁を介して前記貯蔵装置に連結される。
【００３５】
当該技術的手段において、供給弁が材料投入口のオン・オフを制御するように構成されることで、排出口に間歇的に材料を投入する場合、動力装置が起動すると、供給弁が材料投入口の切断を制御することで中継キャビティ内の材料が材料投入口に沿って回流することを回避できるとともに排出口における風力エネルギーの損失などの不良な影響の発生を解消でき、製品のエネルギーの効率が確保される。
【００３６】
勿論、当該態様はこれに限定されず、該供給弁を設置しなくてもよく、具体的には、排出口に対して連続的に材料を投入する場合、排出口で流れ続ける材料による材料投入口に対する閉塞作用を利用して風力エネルギーの損失を低減させ、材料の回流を回避する目的を達する。
【００３７】
上記何れか一つの技術的手段において、好ましくは、前記供給システムの貯蔵装置の高さは調理容器の高さより低い或いは高い、及び／又は前記供給システムの貯蔵装置は調理容器の上方或いは下方に位置する。
【００３８】
上記何れか一つの技術的手段において、好ましくは、前記動力装置は送風装置であり、前記中継キャビティ内に送風する。
【００３９】
送風装置で中継キャビティ内に送風することで、風力により中継キャビティ内の材料を排出口に排出するように駆動することができ、さらに例えば調理器具の調理容器などの受取装置に運送するように材料を駆動し、材料の転送過程を実現し、従来の技術における水力衝撃方式で運送する態様に比べると、風力駆動方式は乾燥材料の運送が実現され、運送用の水が材料を管道内壁に付着させることによる材料残留の問題が回避され、製品の安全衛生性が効果的に確保される。また、従来の技術における重力下落方式で運送する態様に比べると、当該態様では風力で材料を駆動することは材料の重力に対抗して材料を搬送・持ちあげすることができ、製品は要求が異なる搬送シーンに適用でき、製品の分野での展開に寄付する。
【００４０】
前記送風装置はブロア又はガスポンプである。
【００４１】
上記何れか一つの技術的手段において、好ましくは、給気管をさらに含み、前記送風装置が前記給気管を介して前記流体進入口に連結される。
【００４２】
当該技術的手段において、給気管により送風装置の位置に対して容易に空間の配置を行え、同時に、送風装置と流体進入口との間の柔軟な接続を実現でき、完成品に対する制振効果を果たして、運行騒音を低減させる。
【００４３】
上記何れか一つの技術的手段において、好ましくは、前記給気管の管径は、前記給気管の一端から前記給気管の他端に向かって均一であり、又は前記給気管の両端の管径はその中央部の管径より大きい。
【００４４】
当該技術的手段において、給気管の管径は給気管の一端から給気管の他端に向かって均一であるように構成され、特に、送風装置がブロアである場合、このような構成は給気管における流通抵抗を相対的に低減させ、流体への駆動効率を向上させることができ、給気管両端の管径はその中央部の管径より大きいように構成され、特に送風装置がガスポンプである場合、該給気管構造の備える噴射作用を利用して、ガスポンプによる気流への駆動効果を強化することができる。
【００４５】
上記何れか一つの技術的手段において、好ましくは、前記供給システムは、一端が前記中継キャビティの排出口に連結され、他端が前記調理器具の調理容器に連結される材料供給管をさらに含む。
【００４６】
材料供給管は一端が排出口に連結され、他端が調理器具の調理容器に連結され、即ち、排出口が調理器具の調理容器に直接接続する必要がなく、製品と調理器具の調理容器との間における空間の配置に寄与し、製品の適用範囲を拡大し、製品の分野での展開に寄与する。
【００４７】
本発明の第３態様の実施例に係る調理器具は、調理容器を含む調理器本体と、上記いずれか一つの技術的手段に記載の供給システムとを含み、前記供給システムの中継キャビティの排出口が前記調理容器に連通される。
【００４８】
本発明に係る調理器具には、上記いずれか一つの技術的手段に記載の供給システムが設けられるので、上述した有益な効果のすべてを備え、ここで説明を省略する。
【００４９】
前記調理器具は炊飯器、電気圧力鍋、電気煮込み鍋、電気スチームクッカー又は豆乳機であってもよい。
【００５０】
本発明のほかの態様及びメリットは、以下に述べた部分によって明確になり、又は本発明を実施することで理解できる。
【００５１】
本発明の上記及び／又はほかの態様及びメリットは、以下の図面を参照した実施例の説明から明確になり、容易に理解することができる。
【図面の簡単な説明】
【００５２】
【図１】本発明の一実施例に係る前記調理器具の概略構成図である。
【図２】本発明の一実施例に係る前記中継キャビティの平面概略構成図である。
【図３】図２に示す中継キャビティの断面図である。
【図４】本発明の一実施例に係る前記中継キャビティの平面概略構成図である。
【図５】図４に示す中継キャビティの断面図である。
【図６】本発明の一実施例に係る前記調理器具の概略構成図である。
【図７】本発明の一実施例に係る前記調理器具の概略構成図である。
【図８】本発明の一実施例に係る前記調理器具の概略構成図である。なお、図１〜図８に示す矢印は気流方向を指す。
【発明を実施するための形態】
【００５３】
本発明の上記の目的、特徴及び利点をより明確に理解できるように、以下に図面及び発明を実施するための形態を合わせて本発明をさらに詳述する。なお、矛盾のない限り、本願の実施例及び実施例における特徴を互いに組み合わせることができる。
【００５４】
以下の説明では、本発明を十分に理解するために、多数の具体的な詳細を述べるが、本発明はここで述べた形態と異なる形態で実施することもできる。従って、本発明の保護範囲は、以下に開示される具体的な実施例によって限定されるものではない。
【００５５】
以下、図１〜図８を参照しながら本発明に係る一部の実施例における調理器具、供給システム及び中継キャビティを説明する。
【００５６】
図２〜図５に示すように、本実施例に係る中継キャビティ１０は、内チャンバを有し、即ち、中継キャビティ１０は中空のキャビティであり、内チャンバは媒体流体、例えば米、大豆、緑豆などの調理・食用適用の材料を混合するものであり、中継キャビティ１０には、材料が流入する材料投入口１１と、材料が流出する排出口１２と、媒体流体が進入する流体進入口１３とが設けられ、内チャンバが材料投入口１１、排出口１２及び流体進入口１３に連通され、流体進入口１３が中継キャビティ１０の底壁又は中継キャビティ１０の側壁における中継キャビティの底壁に相対的に隣接する箇所に位置される。
【００５７】
媒体流体が水でも気体でも構わないが、水の場合は、材料の壁付着の問題が発生しやすく、駆動力の損失が気体より大きいということを考慮すると、当該実施例では、気体を媒体流体として材料を駆動することが好ましい。これに鑑みて、以下、主に気体を媒体流体として当該態様を説明する。
【００５８】
本発明に係る中継キャビティ１０において、材料投入口１１が中継キャビティ１０の側壁又は中継キャビティ１０の頂壁に位置されるので、材料投入口１１が中継キャビティ１０の底壁に位置される技術的手段に比べて、材料上昇の駆動用の動力消費を低減でき、また流体進入口１３が中継キャビティ１０の底壁、又は中継キャビティ１０の側壁における中継キャビティの底壁に相対的に隣接する箇所に位置されることで、気体が大体中継キャビティ１０の底部位置から中継キャビティ１０に進入することができ、風力による材料の持ち上げ・分散に寄与し、材料の中継キャビティ１０内における堆積による材料に対する駆動困難及び材料の排出困難などの問題を解消し、中継キャビティ１０内に材料が残らずに完全に排出されることが確保され、製品の安全衛生性を向上させる。
【００５９】
好ましくは、材料投入口１１が中継キャビティ１０の側壁又は中継キャビティ１０の頂壁に位置され、材料投入口１１が中継キャビティ１０の底壁に位置される技術的手段に比べて、材料上昇の駆動用の動力消費を低減することができる。
【００６０】
本発明の一部の実施例において、例えば図３及び図５に示すように、流体進入口１３の中継キャビティ１０における交差線（Intersecting  line）１５と中継キャビティ１０の底壁との間の最小間隔Ｔは、Ｔ≦１０ｍｍを満たす。
【００６１】
当該実施例では、流体進入口１３の中継キャビティ１０内面における交差線１５と中継キャビティ１０の底壁との間の最小間隔Ｔを１０ｍｍ以下に設定される。なお、設計上で許可された場合、流体進入口１３の中継キャビティ１０における交差線１５と中継キャビティ１０の底壁との間の最小間隔Ｔをできるだけ小さくするように設計すべきであり、これにより、風力による材料の持ち上げ・分散に寄与し、材料の中継キャビティ１０内における堆積による材料に対する駆動困難及び材料の排出困難などの問題を解消し、中継キャビティ１０内に材料が残らずに完全に排出されることが確保される。
【００６２】
本発明の一実施例において、図１〜図４に示すように、流体進入口１３が中継キャビティ１０の側壁における中継キャビティの底壁に相対的に隣接する箇所に位置され、さらに、流体進入口１３の中継キャビティ１０内面における交差線１５と中継キャビティ１０の底壁との間の最小距離が０ｍｍ〜５ｍｍであることが好ましく、設計上で許可される場合、流体進入口１３の中継キャビティ１０における交差線１５と中継キャビティ１０の底壁との間の最小距離をできるだけ小さく設計すべきであり、これにより、気流が大体中継キャビティ１０の底部位置から中継キャビティ１０に進入し、風力による材料の持ち上げ・分散に寄与し、材料の中継キャビティ１０内における堆積・排出困難の問題を解消し、中継キャビティ１０内に材料が残らずに完全に排出されることが確保される。
【００６３】
勿論、当該態様は上述した実施例に限定されず、必要に応じて、流体進入口１３を中継キャビティ１０の底壁に設けてもよい。
【００６４】
本発明の一実施例において、図３に示すように、図面に示す垂直線に対して傾斜する一点鎖線は流体進入口１３の軸線を示し、該軸線は仮定の補助線であり、流体進入口１３における流体の流れ方向が主に該軸線に沿って内向きであることを概略的に示し、流体進入口１３が円形口、楕円形口、方形口又は矩形口などである場合、該軸線は円形、楕円形、方形又は矩形の流体進入口１３の中心線と共線である。当該実施例では、流体進入口１３の軸線と中継キャビティ１０の底壁とのなす角度Ａが０°〜９０°であり、流体進入口１３から進入した媒体流体が中継キャビティ１０の底壁から入射し又は中継キャビティ１０の底壁に入射し且つ中継キャビティ１０の底壁に反射される。
【００６５】
当該実施例では、流体進入口１３の軸線と中継キャビティ１０の底壁とのなす角度は０°〜９０°である。具体的には、流体進入口１３が中継キャビティ１０の底壁に位置され、且つ流体進入口１３の軸線と中継キャビティ１０の底壁とのなす角度が０°〜９０°であり、排出口１２が気流の下流側にある場合、流体進入口１３に沿って進入した気流が中継キャビティ１０の底壁から入射し、風力による材料の持ち上げ及び更なる分散に寄与し、材料の集中的な堆積による風力の駆動損失の増大及び材料に対する駆動困難による材料の排出不完全の問題を解消する。また、図３に示すように、流体進入口１３が中継キャビティ１０の側壁における中継キャビティの底壁に相対的に隣接する箇所に位置され、且つ流体進入口１３の軸線と中継キャビティ１０の底壁とのなす角度Ａが０°〜９０°であり、排出口１２が気流の出射側にある場合、流体進入口１３に沿って進入した気流は、中継キャビティ１０の底壁に入射し且つ中継キャビティ１０の底壁に反射され、風力による材料の持ち上げ及び更なる分散に寄与し、材料の集中的な堆積による風力の駆動損失の増大及び材料に対する駆動困難による材料の排出不完全の問題を解消する。
【００６６】
本発明の一実施例において、図１〜図３に示すように、流体進入口１３は排出口１２に対向して設けられ、材料投入口１１の軸線が流体進入口１３と排出口１２との間の領域を通過する。なお、図３に示すように、図面には、垂直に配置された一点鎖線は材料投入口１１の軸線を示し、該軸線は仮定の補助線であり、材料の材料投入口１１における流れ方向が主に該軸線に沿って内向きであることを概略的に示し、材料投入口１１が円形口、楕円形口、方形口又は矩形口などである場合、該軸線が円形、楕円形、方形又は矩形の材料投入口１１の中心線と共線である。
【００６７】
当該実施例では、流体進入口１３が排出口１２に対向して設けられ、材料投入口１１の軸線が流体進入口１３と排出口１２との間の領域を通過する。これにより、材料投入口１１に沿って進入した材料が流体進入口１３と排出口１２との間の領域内に直接落下することができ、流体進入口１３から進入した気流が流れ方向に沿って材料を排出口１２から直接押し出し、材料残留の問題を解消する。
【００６８】
本発明の一実施例において、図１〜図３に示すように、材料投入口１１が中継キャビティ１０の中心に向き、流体進入口１３が中継キャビティ１０の一端に位置され、排出口１２が中継キャビティ１０における流体進入口１３に対向する他端に位置される。
【００６９】
当該実施例では、材料投入口１１が中継キャビティ１０の中心に向き、流体進入口１３が中継キャビティ１０の一端に位置され、排出口１２が中継キャビティ１０における流体進入口１３に対向する他端に位置され、材料投入口１１の軸線が流体進入口１３と排出口１２との間の領域を通過する場合、流体進入口１３を中継キャビティ１０の中心位置に大体向けることができる。これにより、流体進入口１３に進入した気流は殆ど中継キャビティ１０の中心を通過する直線に沿って、中継キャビティ１０の中心位置における材料を排出口１２に移動するように直接駆動することができ、少量の気流が両側から均等に分流し、中継キャビティ１０の中心の周囲における材料を除去することができ、材料残留の問題を解消する。
【００７０】
本発明の一実施例では、図４及び図５に示すように、流体進入口１３の向きは、流体進入口１３から進入した媒体流体は中継キャビティ１０の壁面に沿って中継キャビティ１０の中心周りに流れるように、中継キャビティ１０の中心からずれ、材料投入口１１は、媒体流体が流れた中継キャビティ１０の壁面（例えば気流が流れた中継キャビティ１０の側壁）に位置される。
【００７１】
当該実施例では、流体進入口１３の向きが中継キャビティ１０の中心からずれるように構成され、これにより、流体進入口１３に沿って中継キャビティ１０に進入した気流が円周速度を有し、気流が中継キャビティ１０の壁面に沿って中継キャビティ１０の中心周りに流れることができ、また材料投入口１１が気流の流れる中継キャビティ１０の壁面に位置することで、材料投入口１１に沿って進入した材料が中継キャビティ１０内における気流の流れの軌跡に直接落下し、気流による材料排出への駆動に寄与し、材料残留の問題を解消する。
【００７２】
本発明の一実施例において、図５に示すように、材料投入口１１の中継キャビティ１０における交差線１４の最低点と、流体進入口１３の中継キャビティ１０における交差線１５との間の最小水平間隔Ｂは、Ｂ≦１０ｍｍを満たす。
【００７３】
当該実施例では、材料投入口１１の中継キャビティ１０内面における交差線１４の最低点と、流体進入口１３の中継キャビティ１０における交差線１５との間の最小水平間隔Ｂが１０ｍｍ以下に設定され、これにより、流体進入口１３が材料の投入位置から離れすぎる問題を解消し、流体進入口１３に沿って進入した集中的な気流が気流の流れの軌跡における材料を集中して駆動することができ、材料残留の問題を解消する。
【００７４】
本発明の具体的な一実施例において、図３及び図５に示すように、排出口１２が中継キャビティ１０の底壁と中継キャビティ１０の側壁との接続箇所に位置され、且つ排出口１２の最低点の高さが中継キャビティ１０の底壁の内面の高さより高くなく、即ち、図３及び図５に示すように、排出口１２の最低点と中継キャビティ１０の底壁の内面との間の間隔Ｃ≧０ｍｍである。
【００７５】
当該実施例では、排出口１２の最低点の高さが中継キャビティ１０の底壁の内面の高さより高くないように設定されることにより、風力が押圧方式で材料を材料排出口から完全に排出させることができ、排出口１２の位置が高すぎて風力が材料を持ち上げにくいことによる材料残留の問題を解消する。
【００７６】
本発明のもう一つの具体的な実施例において、排出口１２が中継キャビティ１０の底壁に位置され、又は排出口１２が中継キャビティ１０の側壁における中継キャビティ１０の底壁に相対的に隣接する箇所に位置される。
【００７７】
当該実施例では、排出口１２が中継キャビティ１０の底壁に設けられ、又は排出口１２が中継キャビティ１０の側壁における中継キャビティ１０の底壁に相対的に隣接する箇所に位置され、これにより、風力が押圧方式で材料を材料排出口から完全に排出させることができ、排出口１２の位置が高すぎて風力が材料を持ち上げにくいことによる材料残留の問題を解消できる。
【００７８】
本発明のもう一つの具体的な実施例において、図３に示す中継キャビティ１０のように、流体進入口１３の中継キャビティ１０における交差線１５と中継キャビティ１０の底壁との間の最小間隔Ｔが１０ｍｍ以下であり、流体進入口１３が中継キャビティ１０の側壁における中継キャビティ１０の底壁に相対的に対向する位置に設けられ、且つ流体進入口１３の軸線と中継キャビティ１０の底壁とのなす角度Ａが０°〜９０°であり、排出口１２が気流の出射側に位置され、且つ排出口１２の最低点が中継キャビティ１０の底壁の内面より高くないとともに両者間の間隔Ｃが０ｍｍ以上である。
【００７９】
本発明のもう一つの具体的な実施例において、図５に示す中継キャビティ１０のように、流体進入口１３の中継キャビティ１０における交差線１５と中継キャビティ１０の底壁との間の最小間隔Ｔが１０ｍｍ以下であり、流体進入口１３と排出口１２はそれぞれ中継キャビティ１０の両端に位置され、材料投入口１１は中継キャビティ１０の頂壁且つ流体進入口１３と排出口１２との間に位置され、材料投入口１１の中継キャビティ１０における交差線１４の最低点と流体進入口１３の中継キャビティ１０における交差線１５との間の最小水平間隔Ｂが１０ｍｍ以下であり、排出口１２の最低点が中継キャビティ１０の底壁の内面より高くないとともに両者間の間隔Ｃが０ｍｍ以上である。
【００８０】
本発明の一実施例において、前記中継キャビティが三方管状の形状を有し、中継キャビティが三方管状の形状を有するので、構造が簡単であり、容易に加工製造でき、製品のコストを相対的に低減できる。
【００８１】
本発明の一実施例において、図３と図５に示すように、中継キャビティ１０の頂壁は上に向かって突出する円弧状を有し、中継キャビティ１０の側壁は円弧状を有するとともに、中継キャビティ１０の頂壁と中継キャビティ１０の底壁との間に過渡的に接続される。
【００８２】
当該実施例では、このように構成されることで、中継キャビティ１０内のコーナー構造の数を減少し、材料がコーナー構造に滞留して排出されにくいという問題を解消でき、製品における安全衛生リスクの存在を防止する。
【００８３】
中継キャビティ１０はキャビティの底壁１６とキャビティの頂壁１７とを含み、キャビティの頂壁１７は中央部が上に向かって突起する弧形状を有し、キャビティの頂壁１７のエッジがキャビティの底壁１６のエッジに連結される。なお、上記何れか一つの実施例に記載の中継キャビティ１０の底壁が本実施例に記載のキャビティの底壁１６であると理解でき、上記何れか一つの実施例に記載の中継キャビティ１０の側壁が本実施例に記載のキャビティの頂壁１７におけるそのエッジに隣接する部分であると理解することができる。
【００８４】
当該実施例では、中継キャビティ１０はキャビティの底壁１６とキャビティの頂壁１７とを含み、キャビティの頂壁１７は中央部が上に向かって突起する弧形状を有し、キャビティの頂壁１７のエッジがキャビティの底壁１６のエッジに連結される。これにより、中継キャビティ１０内におけるコーナー構造の数を減少でき、材料がコーナー構造に滞留して排出されにくいという問題を解消でき、製品における安全衛生リスクの存在を防止する。
【００８５】
好ましくは、前記材料投入口が、前記中継キャビティの側壁又は前記中継キャビティの頂壁に位置される。
【００８６】
本実施例に係る供給システムは、上述した実施例に記載の中継キャビティ１０と動力装置とを含み、図１に示すように、動力装置は、中継キャビティ１０の流体進入口１３に連結され、媒体流体を中継キャビティ１０内に進入させるように駆動する。供給システムが米、大豆、緑豆などの調理・食用適用の材料を調理器具の調理容器に搬送することに適用される。
【００８７】
本発明に係る供給システムは、上述した何れか一つの実施例に記載の中継キャビティ１０が設けられるので、上述した有益な効果のすべてを備え、ここで説明を省略する。
【００８８】
本発明の一実施例において、図１に示すように、供給システムは、中継キャビティ１０の材料投入口１１に連結され材料を貯蔵する貯蔵装置３０をさらに含み、貯蔵装置３０内に貯蔵される材料が中継キャビティ１０に供給される。
【００８９】
当該実施例では、貯蔵装置３０に材料が予め貯蔵されておくことで、材料投入を必要とする時に、貯蔵装置３０が自動的に中継キャビティ１０内に材料を供給でき、ユーザが材料投入する度に、手動で材料を補充する必要がなく、製品の使用便利性を向上させる。
【００９０】
本発明の一実施例において、図１に示すように、供給システムは、材料投入口１１と貯蔵装置３０との間のオン・オフを制御する供給弁４０をさらに含み、中継キャビティ１０の材料投入口１１が供給弁４０を介して貯蔵装置３０に連結される。
【００９１】
当該実施例では、供給弁４０が材料投入口１１のオン・オフを制御するように構成され、排出口１２に間歇的に材料投入する場合、動力装置が起動すると、供給弁４０により材料投入口１１が切断するように制御することで、中継キャビティ１０内の材料が材料投入口１１に沿って回流することを回避するとともに排出口１２における風力エネルギーの損失などの不良な影響の発生を解消し、製品のエネルギーの効率が確保される。供給弁４０が材料投入口１１に位置され、供給弁４０は球弁又はその他の開閉機構でもよく、材料投入口１１のオン・オフを制御する。これにより、排出口１２に間歇的に材料投入する場合、送風装置２０が起動すると、供給弁４０は材料投入口１１が切断するように制御することで中継キャビティ１０内の材料が材料投入口１１に沿って回流することを回避できるとともに排出口１２における風力エネルギーの損失などの不良な影響の発生を解消でき、製品のエネルギーの効率が確保される。
【００９２】
該貯蔵装置３０は収納空間を備え、供給システムの供給弁４０が貯蔵装置３０に連結され、供給弁４０をオンにすると、供給システムの材料投入口１１と貯蔵装置３０の収納空間とが連通する。
【００９３】
勿論、当該実施例はこれに限定されず、該供給弁４０を設置しなくてもよく、具体的に、排出口１２に対して連続的に材料投入する場合、排出口１２で流れ続ける材料による材料投入口１１に対する閉塞作用を利用して風力エネルギーの損失を低減でき、材料の回流を回避する目的を達する。
【００９４】
好ましくは、前記動力装置は送風装置であり、前記中継キャビティ内に送風する。送風装置２０は流体進入口１３に連結され、送風装置２０はブロアでもよく、中継キャビティ１０内に送風する。送風装置２０で中継キャビティ１０内に送風することで、風力により中継キャビティ１０内の材料が排出口１２に排出するように駆動することができ、さらに例えば調理器具の調理容器５０などの受取装置に運送するように材料を駆動し、材料の転送過程を実現し、従来の技術における水力衝撃方式で運送する態様に比べると、風力駆動方式は乾燥材料の運送を実現し、運送用の水が材料を管道内壁に付着させることによる材料残留の問題を回避することができ、製品の安全衛生性が効果的に確保される。また、従来の技術における重力下落方式で運送する態様に比べると、当該態様では風力で材料を駆動することは材料の重力に対抗して材料を搬送・持ちあげすることができ、製品は要求が異なる搬送シーンに適用でき、製品の分野での展開に寄与する。
【００９５】
好ましくは、流体進入口１３と排出口１２が対向して設けられ、排出口１２が気流風向きの下流位置に直接位置され、材料投入口１１の軸線が流体進入口１３と排出口１２との間の領域を通過する。これにより、材料投入口１１から進入した材料が流体進入口１３と排出口１２との間の領域内に直接落下して堆積することができ、流体進入口１３に進入した気流が追い風方向に沿って材料を排出口１２から排出するように直接駆動でき、製品の運送効率を効果的に向上させ、且つ気流の中継キャビティ１０内における運動エネルギーの損失を低減させ、製品のエネルギー効率が効果的に確保される。
【００９６】
前記送風装置はブロア又はガスポンプである。
【００９７】
好ましくは、図１に示すように、動力装置はブロアであり、ブロアが中継キャビティ１０内に送風し、風力で材料の流動を駆動し、水力で材料の流動を駆動する態様に比べると、水による材料の壁付着の問題を回避でき、且つ気体の駆動力の損失が水より小さく、エネルギーの消費を抑制できる。
【００９８】
勿論、当該実施例はこれに限定されず、水力駆動の場合、動力装置を水ポンプとしてもよい。
【００９９】
本発明の一部の実施例において、供給システムは給気管６０をさらに含み、送風装置２０が給気管６０を介して流体進入口１３に連結される。ここで、給気管６０を利用すると便利に送風装置２０の空間の配置を行え、同時に送風装置２０と流体進入口１３との間の柔軟な接続を実現でき、完成品に対する制振効果を果たして、運行騒音を低減させる。
【０１００】
本発明の一つの好適な実施例において、送風装置２０はブロアであり、ブロアは給気管６０を介して、流体進入口１３に接続される。また、給気管の管径は、給気管の一端から給気管の他端に向かって均一であるように構成され、これにより、給気管における流通抵抗を相対的に低減させ、流体に対する駆動効率を向上させることができる。
【０１０１】
本発明のもう一つの好適な実施例において、送風装置２０はガスポンプであり、ガスポンプは給気管６０を介して流体進入口１３に接続される。また、給気管の両端の管径はその中央部の管径より大きく、該給気管構造の噴射作用を利用して、ガスポンプによる気流への駆動効果を強化可能である。
【０１０２】
本発明の一実施例において、供給システムは材料供給管７０をさらに含み、材料供給管７０の一端が排出口１２に連結され、他端が調理器具の調理容器５０に連通され、材料が中継キャビティ１０から流出した後、材料供給管７０を経て調理容器５０に搬送され、即ち、排出口１２と調理器具の調理容器５０とを直接接続する必要がなく、これにより、製品と調理器具の調理容器５０との間における空間の配置に寄与し、製品の適用範囲を拡大し、製品の分野での展開に寄与する。
【０１０３】
本実施例に係る調理器具は、調理器本体と、上記何れか一つの実施例における供給システムとを含み、調理器本体は調理容器５０を含み、供給システムの中継キャビティ１０の排出口１２が調理容器５０に連通され、材料を中継キャビティ１０から調理容器５０に搬出し、調理器本体は調理容器５０における材料を調理する。
【０１０４】
本発明に係る調理器具は、上述した何れか一つの態様に記載の供給システムが設置されるので、上述した有益な効果のすべてを備え、ここで説明を省略する。
【０１０５】
本発明のもう一つの具体的な実施例において、図１に示すように、中継キャビティ１０には材料投入口１１、排出口１２、流体進入口１３との３つのポートが設置される。材料は材料投入口１１から中継キャビティ１０に進入し、材料投入が終了した後で、供給弁４０がオフ（この際に、風力によるフィードの効果が最高で、オフしなければ、材料が風力作用で回流する恐れがある）し、そして、ブロアが起動し、材料が風力作用で排出口１２から中継キャビティ１０に排出され、材料供給管７０を介して調理容器５０に進入する。
【０１０６】
本発明の一つの具体的な実施例において、図１に示すように、供給システムが調理容器５０の左側に位置され、且つ供給システムの中継キャビティ１０の高さが調理容器５０の高さより低い。勿論、当該態様では、供給システムの中継キャビティ１０の高さが調理容器５０の高さに対して高いまたは等しいように設計してもよい。
【０１０７】
本発明の一つの具体的な実施例において、図６に示すように、供給システムは調理容器５０の右側に位置され、且つ供給システムの中継キャビティ１０の高さが調理容器５０の高さより低い。勿論、当該実施例では、供給システムの中継キャビティ１０の高さは調理容器５０の高さに対して高いまたは等しいように構成されてもよい。
【０１０８】
本発明の一つの具体的な実施例において、図７に示すように、供給システムの中継キャビティ１０が調理容器５０の下方に位置される。
【０１０９】
本発明の一つの具体的な実施例において、図８に示すように、供給システムの中継キャビティ１０が調理容器５０の上方に位置される。
【０１１０】
勿論、当該態様は以上の具体的な実施例に限定されず、実際には、貯蔵装置３０が調理容器５０の周囲のどこに位置されてもよい。
【０１１１】
調理器具は、炊飯器、電気圧力鍋、電気煮込み鍋、電気スチームクッカー又は豆乳機であってもよい。
【０１１２】
要するに、本発明に係る中継キャビティについて、流体進入口が中継キャビティの底壁又は側壁における中継キャビティの底壁に相対的に隣接する箇所に位置されることにより、気体が大体中継キャビティの底部位置から中継キャビティに進入でき、これにより風力による材料への持ち上げ・分散に寄与し、材料の中継キャビティ内における堆積による材料に対する駆動困難及び材料の排出困難などの問題を回避でき、中継キャビティ内において材料が残らずに完全に排出されることが確保され、製品の安全衛生性を向上させることができる。
【０１１３】
付随する請求項があるが、本発明は以下の態様にも限定される。
１．調理器具に用いる供給システムであって、
中空キャビティであり、材料が進入する材料投入口と気流が進入する流体進入口と材料が流出する排出口とが設けられる中継キャビティと、
前記流体進入口に連結され、前記中継キャビティ内に送風する送風装置と、
一端が前記排出口に連結され、他端が前記調理器具の調理容器に連通される材料供給管とを含む供給システム。
２．前記材料投入口に設けられ、前記材料投入口のオン・オフを制御する供給弁をさらに含む態様１に記載の供給システム。
３．前記流体進入口が前記中継キャビティの底壁に位置され、又は前記流体進入口が前記中継キャビティの側壁における前記中継キャビティの底壁に相対的に隣接する箇所に位置される態様１又は２に記載の供給システム。
４．前記流体進入口が前記中継キャビティの側壁における前記中継キャビティの底壁に相対的に隣接する箇所に位置される場合、前記流体進入口の前記中継キャビティにおける交差線と前記中継キャビティの底壁との間の最小距離が０ｍｍ〜５ｍｍである態様３に記載の供給システム。
５．前記排出口が前記中継キャビティの底壁に位置され、又は前記排出口が前記中継キャビティの側壁における前記中継キャビティの底壁に相対的に隣接する箇所に位置される態様１又は２に記載の供給システム。
６．前記流体進入口と前記排出口が対向して設置され、前記材料投入口の軸線が前記流体進入口と前記排出口との間の領域を通過する態様１又は２に記載の供給システム。
７．前記中継キャビティは三方管状の形状を有し、又は
前記中継キャビティはキャビティの底壁及びキャビティの頂壁を含み、前記キャビティの頂壁は中央部が上向きに突起する弧形状を成し、且つ前記キャビティの頂壁のエッジが前記キャビティ底壁のエッジに連結される態様１又は２に記載の供給システム。
８．前記送風装置はブロア又はガスポンプである態様１又は２に記載の供給システム。
９．前記送風装置と前記流体進入口とを連結する給気管をさらに含む態様１又は２に記載の供給システム。
１０．前記給気管の一端から前記給気管の他端に向かい、前記給気管の管径が均一であり又は前記給気管の両端の管径がその中央部の管径より大きい態様９に記載の供給システム。
１１．収納空間を備える貯蔵装置と、
態様１〜１０のいずれか一項に記載の供給システムとを含み、
前記供給システムの供給弁が前記貯蔵装置に連結され、前記供給弁をオンにすると、前記供給システムの材料投入口が前記収納空間に連通する台所貯蔵器具。
１２．調理容器を含む調理器本体と、
態様１〜１０のいずれか一項に記載の供給システムとを含み、
前記供給システムの排出口が前記調理容器に連通する調理器具。
１３．収納空間を備え、前記供給システムの供給弁が連結され、前記供給弁をオンにすると、前記供給システムの材料投入口が前記収納空間に連通する貯蔵装置をさらに含む態様１２に記載の調理器具。
１４．前記貯蔵装置の高さが前記調理容器の高さより高いまたは低い、及び／又は
前記貯蔵装置は前記調理容器の上方又は下方に位置する。
１５．前記調理器具は炊飯器、電気圧力鍋、電気煮込み鍋、電気スチームクッカー又は豆乳機である態様１２〜１４の何れか一項に記載の調理器具。
【０１１４】
本発明において、「取付」、「連結」、「接続」、「固定」などの用語の意味は広く理解されるべきであり、例えば、「接続」は固定して接続されてもよいし、着脱可能に接続されてもよいし、又は一体に接続されてもよい。「連結」は直接連結されてもよいし、中間媒体を介して間接的に連結されてもよい。当業者にとって、具体的な状況に応じて上記用語の本発明における具体的な意味を理解できる。
【０１１５】
本明細書の記載において、用語である「一実施例」、「一部の実施例」、「具体的な実施例」等の表現は、該実施例または例示に説明された具体的な特徴、構造、材料が本発明の少なくとも一実施例又は例示に含まれていることを意味する。本明細書において、上述した用語の概略的な表現は、必ずしも同一実施例または例示を示しているわけではない。さらに、説明した具体的な特徴、構造、材料、或いは特性は何れか一つ又は複数の実施例或いは例示に適切な方式で組み合わせることができる。
【０１１６】
以上は、本発明の好適な実施例に過ぎず、本発明を限定するものではない。当業者であれば、本発明に様々な修正や変更が可能である。本発明の精神や原則内での任意の修正、均等な置換、改良などは、本発明の範囲内に含まれる。
【０１１７】
なお、図１〜図８における符号と部材名称との対応関係は以下のとおりである。
１０  中継キャビティ
１１  材料投入口
１２  排出口
１３  流体進入口
１４  材料投入口の中継キャビティにおける交差線
１５  流体進入口の中継キャビティにおける交差線
１６  キャビティの底壁
１７  キャビティの頂壁
２０  ブロア
３０  貯蔵装置
４０  供給弁
５０  調理容器
６０  給気管
７０  材料供給管
【図１】
2019535361.tif 000003
【図２】
2019535361.tif 000004
【図３】
2019535361.tif 000005
【図４】
2019535361.tif 000006
【図５】
2019535361.tif 000007
【図６】
2019535361.tif 000008
【図７】
2019535361.tif 000009
【図８】
2019535361.tif 000010
【国際調査報告】
2019535361.tif 000011
2019535361.tif 000012
2019535361.tif 000013
2019535361.tif 000014
2019535361.tif 000015
2019535361.tif 000016